(57)【要約】【課題】  本発明は各種証明書や、各種契約書、或いは各種機密文書等の文書や画像を複写機で複写する際の印刷物のセキュリティを確保する印刷物のセキュリティシステムに関する。【解決手段】  本発明は、消失パターン生成部８によって消失パターンを生成し、非消失パターン生成部９によって非消失パターンを生成し、第１の合成部１０によって両パターンを合成処理し、アプリケーションプログラムに基づいて作成したイメージデータを合成処理することによって得られた画像データをプリント出力する。そして、この印刷物を複写機でコピーすることにより、上記消失パターンを非印字とし、不正コピーを有効に防止する構成である。【選択図】図２
2006229507.tif 000002
【特許請求の範囲】
【請求項１】
アプリケーションに基づいて印刷データを生成する印刷データ生成手段と、
消失パターンを生成する消失パターン生成手段と、
非消失パターンを生成する非消失パターン生成手段と、
該消失パターンと非消失パターンを合成する第１の合成手段と、
該第１の合成手段によって合成した合成データと前記印刷データを合成する第２の合成手段と、
該第２の合成手段の合成結果を印刷処理するプリンタ手段と、
を有することを特徴とする印刷物のセキュリティシステム。
【請求項２】
前記印刷物を複写手段によって複写処理することを特徴とする請求項１記載の印刷物のセキュリティシステム。
【請求項３】
前記非消失パターンにセキュリティ防止の定型句を合成する第３の合成手段を更に有し、該合成データを前記第２の合成手段の合成出力に第４の合成処理を施す第４の合成手段を有することを特徴とする請求項１、又は２記載の印刷物のセキュリティシステム。
【請求項４】
前記印刷データは、前記第２の合成手段による合成処理の前、イメージ変換処理が施され、マゼンダ（Ｍ）、シアン（Ｃ）、ブラック（Ｋ）の３色のイメージデータに変換されていることを特徴とする請求項１、２、又は３記載の印刷物のセキュリティシステム。
【発明の詳細な説明】
【技術分野】
【０００１】
本発明は各種証明書や、各種契約書、或いは各種機密文書等の文書や画像を複写機で複写する際の印刷物のセキュリティを確保する印刷物のセキュリティシステムに関する。
【背景技術】
【０００２】
今日、各種契約書や各種証明書などの各種機密文書は、その機密性を維持し、その原本性を維持するため、特殊なインキや特殊な印刷により作成された『コピーガード用紙』・『コピー防止用紙』・『さくら紙』等と呼ばれる特殊な用紙に印刷を行い、複写や改竄を防止している。
【０００３】
尚、特許文献１には、ラベルを簡単に改竄・偽造できないようにしたラベル偽造防止システムの発明が開示されている。この発明は、生産者からの依頼でラベルを作成する際、ラベルごとに異なる情報の印影を付加し、コピー防止を施した画像データとしてラベルを認定機関が発行する。したがって、このラベルにはコピー防止が施されているため、改竄ができなくなり、このラベルが付加された商品を消費者に偽って売ることを禁止するものである。
【特許文献１】特開２００３−３１６８５３号公報
【発明の開示】
【発明が解決しようとする課題】
【０００４】
しかしながら、上記方法では用紙が限定され、複写時には『複写禁止』などの決まった文字列が発生してしまうなどの限定があるため、使用者が簡単に複写後の状態（印字される文字列や図形・カラー等）の変更が困難であり、使用し難いという問題がある。また、この用紙自体の価格も高価である。
【０００５】
さらに、富士ゼッロクス社で発売された『Trust Marking』は、上記のような特殊な用紙を使用せずに印刷可能であるため、上記の課題の一部は回避可能であるが、この技術では、解像度が高い高性能プリンタでしか利用できない。また、このソフトウエアにおいては、複写機の性能により、『コピー防止用紙』のような性能を出せない場合も多々ある。
そこで、本発明は上記課題を解決し、不正複写を有効に防止できる印刷物のセキュリティシステムを提供するものである。
【課題を解決するための手段】
【０００６】
上記課題は本発明によれば、アプリケーションに基づいて印刷データを生成する印刷データ生成手段と、消失パターンを生成する消失パターン生成手段と、非消失パターンを生成する非消失パターン生成手段と、該消失パターンと非消失パターンを合成する第１の合成手段と、該第１の合成手段によって合成した合成データと前記印刷データを合成する第２の合成手段と、該第２の合成手段の合成結果を印刷処理するプリンタ手段とを有する印刷物のセキュリティシステムを提供することによって達成できる。
【０００７】
このように構成することにより、プリンタ手段によってプリント出力された印刷物にはセキュリティ処理が施されており、この印刷物を複写機によって複写処理することで、前述のアプリケーションによって作成した印刷データの一部を消去させることができ、不正コピーを防止することができる。
【０００８】
また、例えば前記非消失パターンにセキュリティ定型句を合成する第３の合成手段を更に有し、該合成データを前記第２の合成手段の合成出力に第４の合成処理を施す第４の合成手段を有する構成である。
【０００９】
このように構成することにより、複写物にセキュリティ防止の定型句を印字することができ、例えばユーザ名称や、ホスト機器名、会社名、印刷日時等の定型句を印字することによって、更に不正コピーの有効な防止策となる。
【発明の効果】
【００１０】
上記課題は本発明によれば、アプリケーションによって作成した印刷データの一部を消去させることによって、不正コピーを防止することができる。
さらに、上記印刷データの消去と共に、秘密文書であることを示す印刷を複写物に印字することによって、より有効な不正コピーの防止策となる。
【発明を実施するための最良の形態】
【００１１】
以下、本発明の実施形態について、図面を参照して詳細に説明する。
（実施形態１）
図１は、本実施形態を説明する印刷物のセキュリティシステムのシステム構成図である。
【００１２】
同図において、１はパーソナルコンピュータ（ＰＣ）であり、本例のシステムを実現するためのソフトウェアがインストールされている。また、パーソナルコンピュータ１には、文書作成ソフトや表計算ソフト等のアプリケーションもインストールされている。また、パーソナルコンピュータ１には、プリンタ装置に文字とグラフィックなどの印刷イメージを指示するためのＰＤＬ（page description language、ページ記述言語）のプログラムが登録されている。
【００１３】
ページ記述言語は、プリンタ装置のドット密度を考慮して印刷イメージを作成するため、アプリケーションの開発者やフォントのデザイナーは個別のプリンタ装置のドット密度を意識してソフトウェアを作成する必要がないという利点がある。
【００１４】
上記ＰＤＬにより、印刷データはプリンタ装置に対応する中間コードに変換され、プリンタ装置２に出力される。プリンタ装置２は、内部に不図示のＩ／Ｆコントローラやプリンタドライバを有し、パーソナルコンピュータ１から供給される印刷データを一旦受信バッファに格納する。その後、印刷データに含まれるコマンド解析を行い、例えばフレームメモリに１ページ分のデータを展開した後、用紙に印刷を行う。尚、図１では、プリンタ装置２から出張報告書３が出力される例を示す。
【００１５】
複写機４は、プリンタ装置２から出力された書類を複写する。複写機４は、原稿台に載置された書類に光照射を行い、反射光をＣＣＤ等の光電変換器によって電気信号に変換し、書類の複写を行う。ここで、複写機４を使用して書類の文書データを用紙に印字する際、印刷濃度はプリンタ装置２を使用した場合に比べて劣る。本例はこの特徴を使用して印刷物のセキュリティを確保する。尚、図１に示す複写結果５は、上記出張報告書３を複写機４によって複写した結果を示すものである。
【００１６】
次に、機能ブロック図を用いて、本例の具体的な処理を説明する。
図２は本例の機能ブロック図であり、前述の文書作成ソフト等のアプリケーション６で作成した印刷データは、ウインドウズ用ＰＤＬ７によって中間コマンドを含むイメージデータに変換される。一方、消失パターン生成部８は、プリンタ装置２の印刷物に消失パターンを生成するパターン生成部であり、非消失パターン生成部８は、プリンタ装置２の印刷物に残留パターンを生成するパターン生成部である。
【００１７】
図３（ａ）は、消失パターン生成部８が生成するパターンデータの例を示す。また、同図（ｂ）は、非消失パターン生成部９が生成するパターンデータの例を示す。上記のように、同図（ａ）に示す消失パターンはプリンタ装置２の印刷出力において印刷されるが、複写機４の複写処理の際消失するパターンである。一方、同図（ｂ）に示す非消失パターンはプリンタ装置２の印刷処理及び複写機４の複写処理の何れにおいても消失しないパターンである。
【００１８】
第１の合成部１０は、消失パターン生成部８から出力される消失パターン、及び非消失パターン生成部９から出力される残留パターンの合成処理を行う。ここで、消失パターンをデータ１（Data１）とし、非消失パターンをデータ２（Data２）とし、上記合成処理後の斑状のデータをデータ３（Data３）とする。図４はデータ１（Data１）をＡで示し、データ２（Data２）をＢで示した場合の斑状のデータ（データ３（Data３））を示す図である。尚、上記ＡとＢの配設間隔は、消失させたい文字フォント、或いは図形の大きさに応じて可変である。例えば、文字が１０ポイント程度であれば、１２ピクセル毎にＡとＢの配設する。
【００１９】
次に、第２の合成部１１によって、イメージデータに変換された印刷データを上記合成データに合成処理する。例えば、前述の出張報告書３の場合、「１．日時  ２００４年１月１日」、「２．場所  水天宮」、「３．目的」、「４．今年の晴着の流行の確認」等のデータが、上記図４に示す合成データ３（Data３）に合成処理される。尚、図５はこの合成処理の一例を示す図であり、例えば「１．日時  ２００４年１月１日」のデータとの合成処理を説明する図であり、消失される部分（Ａ部）を斜線で示す。
【００２０】
上記処理が行われた印刷データはプリンタ装置２のプリンタエンジンによって、感光体に書き込まれ、例えば現像処理、及び転写処理を経て用紙に印字され、熱定着処理が施されてトレイ上に出力される。図６（ａ）は上記プリンタ装置２によって印刷処理された出張報告書３の例である。
【００２１】
次に、複写機５を使用して出張報告書３をコピーすると、前述のように印刷感度の相違により、消失パターンの部分は印刷されず、非消失パターンのみの部分が残る印刷出力となる。例えば、前述の「１．日時・・・」の箇所は図５に示すように非消失パターン（Ｂ部）のみが残る印刷結果となる。したがって、複写機５にによる複写結果は、例えば図６（ｂ）に示す結果となり、判読不能な複写物となる。
以上のように、本例によればプリンタ装置２でプリント出力した印刷物を複写機４で複写すると、判読不能な複写結果となり、不正コピーを防止することができる。
【００２２】
（実施形態２）
次に、本発明の実施形態２について説明する。
本実施形態は、前述の実施形態１に対して不正コピーであることを示す印字処理を施す構成であり、より有効に不正コピーを防止する構成である。以下、具体的に説明する。
図７は本例の機能ブロック図であり、前述と同様、文書作成ソフト等のアプリケーション６で作成した印刷データは、ウインドウズ用ＰＤＬ７によって中間コマンドを含むイメージデータに変換される。また、消失パターン生成部８は、例えば前述の図３（ａ）に示す消失パターンを出力し、非消失パターン生成部９は同図（ｂ）に示す非消失パターンを出力する。さらに、前述と同様、第１の合成部１０は、消失パターン生成部８から出力される消失パターン、及び非消失パターン生成部９から出力される残留パターンの合成処理を行い、更に第２の合成部１１はイメージデータに変換された印刷データを上記合成データに合成処理する。
【００２３】
一方、本例において追加された地紋文字生成部１３は、不正コピーであることを示すセキュリティ定型句を生成する。このセキュリティ定型句は、パーソナルコンピュータ１のディスプレイに表示される画面において設定可能である。尚、図８はこの一例を示すものであり、例えば定型句として「ユーザ名称」や、「ホスト機器名」、又は「会社名」、又は「印刷日時」、又は「ＩＰアドレス」、又は「Ｃｏｐｙ  ｒｉｇｈｔ」の情報を指定することができる。
【００２４】
地紋文字生成部１３では、予め設定されたセキュリティ定型句の印刷データを前述の非消失パターン生成部９の出力と合成処理する。この合成処理は、図７に示すように第３の合成部１４によって行われる。
【００２５】
次に、上記セキュリティ定型句が合成されたデータは、第４の合成部１５によって前述の第２の合成部１１の出力と合成処理される。図９はこの時の複写処理の効果を示す図であり、同図（ａ）の原本（プリンタ装置２の出力）に対して、複写機５の複写結果は同図（ｂ）に示すものとなる。尚、この場合、セキュリティ定型句は“Ｃｏｐｙ  ｒｉｇｈｔ”である。
【００２６】
また、複写時の効果として、複写機５のモードを例えば通常モードとすれば、非消失パターンのみの複写となり、判読不能な複写物となり、複写機５のモードを高濃度モードとすれば消失パターンと背景データの複写結果となる。
【００２７】
以上のように、本例によればプリンタ装置２でプリント出力した印刷物は、複写機で複写すると、判読不能な複写結果となるだけでなくセキュリティ定型句も印刷され、より有効に不正コピーを防止することができる。
【００２８】
尚、本例において、消失パターンを図３（ａ）に示すパターンとし、非消失パターンを同図（ｂ）に示すように縦方向に５ドット連続するパターンとしたが、本発明は上記構成のパターンに限定される訳ではない。
【００２９】
また、消失パターン（Ａ）と、非消失パターン（Ｂ）の配設も、前述の図４に示すパターンに限定される訳ではなく、例えば図１０（ａ）に示すように横方向にＡ、Ｂが交互にライン状に配列する構成としてもよく、また同図（ｂ）に示すように縦方向にＡ、Ｂが交互にライン状に配列する構成としてもよい。  また、前述のＰＤＬは、パーソナルコンピュータ１のドライバに組み込む構成であってもよい。また、ＴＩＦＦ (Tagged Image File Format)のデータをビットマップ形式のデータに変換して本例の処理を行う構成としてもよく、更にＰＤＦファイル（portable document format）の印刷データをビットマップ形式のデータに変換して本例の処理を行う構成としてもよい。また、テキストデータをＧＤＩ（graphics device interface）を使用してビットマップ形式のデータに変換して本例の処理を行う構成としてもよい。
【図面の簡単な説明】
【００３０】
【図１】本実施形態を説明する印刷物のセキュリティシステムのシステム構成図である。
【図２】本例の具体的な処理を説明する機能ブロック図である。
【図３】（ａ）は、消失パターン生成部が生成するパターンデータの例を示す図であり、（ｂ）は、非消失パターン生成部が生成するパターンデータの例を示す図である。
【図４】データ１（Data１）をＡで示し、データ２（Data２）をＢで示した場合の斑状のデータ（データ３（Data３））を示す図である。
【図５】合成処理の具体例を示す図である。
【図６】（ａ）は、プリンタ装置によって印刷処理された出張報告書の例を示す図であり、（ｂ）は、複写結果を示す図である。
【図７】実施形態２の具体的な処理を説明する機能ブロック図である。
【図８】セキュリティ定型句の選択画面を示す図である。
【図９】（ａ）は、プリンタ装置によって印刷処理された出張報告書の例を示す図であり、（ｂ）は、複写結果を示す図である。
【図１０】（ａ）は、横方向にＡ、Ｂが交互にライン状に配列する例を示す図であり、（ｂ）は、縦方向にＡ、Ｂが交互にライン状に配列する例を示す図である。
【符号の説明】
【００３１】
１  パーソナルコンピュータ（ＰＣ）
２  プリンタ装置
３  出張報告書
４  複写機
５  複写結果
６  アプリケーション
７  ウインドウズ用ＰＤＬ
８  消失パターン生成部
９  非消失パターン生成部
１０  第１の合成部
１１  第２の合成部
１３  地紋文字生成部
１４  第３の合成部
１５  第４の合成部
【図２】
2006229507.tif 000003
【図３】
2006229507.tif 000004
【図６】
2006229507.tif 000005
【図７】
2006229507.tif 000006
【図１０】
2006229507.tif 000007
【図１】
2006229507.tif 000008
【図４】
2006229507.tif 000009
【図５】
2006229507.tif 000010
【図８】
2006229507.tif 000011
【図９】
2006229507.tif 000012